(57)【要約】【課題】収納筐体を支柱間に渡架しても美観に優れるとともに、その上方を有効に活用することができる陳列棚を提供する。【解決手段】上下方向に係止孔１０，１０，…が多数穿設された支柱５Ａ〜５Ｃに固定配置されたブラケット１２，１２の支持片１３，１３上には、棚板３と、少なくとも底板２１と天板２０とを有する収納筐体４とが渡架可能となっており、支柱間に渡架された収納筐体３の天板２０の上面２０ａと、支柱間と隣り合う支柱間に渡架された棚板３の上面３ａとを同一高さに調整できるように、収納筐体４の高さＨ、および係止孔１０，１０，…の穿設位置が規定されてなる。【選択図】図１
2019084006.tif 000002
【特許請求の範囲】
【請求項１】
左右方向に離間して立設された３本以上の支柱を備えるとともに、これら支柱の上下方向に多数穿設された係止孔にブラケットを固定配置し、前記ブラケット間に棚板を渡架して物品を載置できるようになっている陳列棚であって、
固定配置された前記ブラケットの支持片上には、前記棚板と、少なくとも底板と天板とを有する収納筐体とが渡架可能となっており、
支柱間に渡架された前記収納筐体の前記天板の上面と、前記支柱間と隣り合う支柱間に渡架された前記棚板の上面とを同一高さに調整できるように、前記収納筐体の高さ、および前記係止孔の穿設位置が規定されてなることを特徴とする陳列棚。
【請求項２】
前記収納筐体の前記底板の下面から前記天板の上面までの高さ寸法が、前記支柱に形成された上下方向に隣接する前記係止孔同士の距離の整数倍に前記棚板の厚み寸法を加えた寸法となっていることを特徴とする請求項１に記載の陳列棚。
【請求項３】
前記収納筐体の前記天板と前記棚板の厚み寸法が同一となっていることを特徴とする請求項１または２に記載の陳列棚。
【請求項４】
前記収納筐体の前記底板と前記棚板の厚み寸法が同一となっていることを特徴とする請求項１ないし３のいずれかに記載の陳列棚。
【請求項５】
前記収納筐体の前記底板の幅方向の端部には、該底板の上方に起立する前記側板が配置されていることを特徴とする請求項１ないし４のいずれかに記載の陳列棚。
【請求項６】
前記ブラケットは、前記支持片の幅方向の端部から略垂直に起立する側片を備え、該側片が隣接する前記支柱同士の対向側面に当接して配置されていることを特徴とする請求項１ないし５のいずれかに記載の陳列棚。
【請求項７】
前記側片の高さ寸法が前記棚板の板厚と同一であることを特徴とする請求項６に記載の陳列棚。
【発明の詳細な説明】
【技術分野】
【０００１】
本発明は、支柱に棚板等を支持して使用可能な陳列棚に関する。
【背景技術】
【０００２】
従来、店舗や倉庫等に設置され、物品を載置する場合などに用いられる陳列棚は、左右方向に離間して立設された複数の支柱を備えるとともに、これら支柱に適宜ブラケットを固定配置し、ブラケット間に棚板を渡架して物品を載置できるようになっている（例えば、特許文献１）。
【０００３】
このような陳列棚を構成する支柱には、上下方向に係止孔が複数形成されており、ブラケットは係止孔に係止可能な係止片を備えるとともに、係止片を係止させる係止孔を選択することで、ブラケットの取付け位置を変更でき、任意の高さに棚板を支持可能となっている。
【０００４】
ところで、特に店舗等においては、物品の販促効果を高めるために様々な陳列レイアウトが試されており、例えば図１０に示されるように、陳列棚の一部として物品を側方及び上方で囲む様な箱状の収納筐体１０４が利用される場合には、この収納筐体１０４は棚板１０３の上に載置されることになる。
【先行技術文献】
【特許文献】
【０００５】
【特許文献１】特開２００２−９５５６０号公報（第３頁、第２図）
【発明の概要】
【発明が解決しようとする課題】
【０００６】
このような収納筐体１０４は、その底板１２０の上に物品を載置可能であることに加え、天板１２１の上面１２１ａも平坦面であることから物品を載置可能となっているが、採用する収納筐体１０４の寸法によっては、棚板１０３の上に載置された収納筐体１０４の天板１２１の上面１２１ａと支柱１０５Ｂを挟んで隣り合う棚板１０３の上面１０３ａとの高さ位置が一致せず（図１０（ａ）参照）、美観上の問題から、天板１２１の上面１２１ａは物品を陳列する陳列面としては不向きであった。また、別の棚板１０３を収納筐体１０４の上方に渡架させた場合には、収納筐体１０４の天板１２１の上面１２１ａと上方の棚板１０３の下面１０３ｂとの間に隙間が形成され（図１０（ｂ）参照）、収納筐体１０４の上方がデッドスペースとなってしまうといった問題があった。
【０００７】
本発明は、このような問題点に着目してなされたもので、収納筐体を支柱間に渡架しても美観に優れるとともに、その上方を有効に活用することができる陳列棚を提供することを目的とする。
【課題を解決するための手段】
【０００８】
前記課題を解決するために、本発明の陳列棚は、
左右方向に離間して立設された３本以上の支柱を備えるとともに、これら支柱の上下方向に多数穿設された係止孔にブラケットを固定配置し、前記ブラケット間に棚板を渡架して物品を載置できるようになっている陳列棚であって、
固定配置された前記ブラケットの支持片上には、前記棚板と、少なくとも底板と天板とを有する収納筐体とが渡架可能となっており、
支柱間に渡架された前記収納筐体の前記天板の上面と、前記支柱間と隣り合う支柱間に渡架された前記棚板の上面とを同一高さに調整できるように、前記収納筐体の高さ、および前記係止孔の穿設位置が規定されてなることを特徴としている。
この特徴によれば、収納筐体の天板の上面と支柱を挟んで隣り合う棚板の上面とを左右に面一に連続させて美観を向上できるとともに、収納筐体の天板の上面を棚板と連続する載置面として利用することで収納筐体の上方を有効に活用することができる。
【０００９】
前記収納筐体の前記底板の下面から前記天板の上面までの高さ寸法が、前記支柱に形成された上下方向に隣接する前記係止孔同士の距離の整数倍に前記棚板の厚み寸法を加えた寸法となっていることを特徴としている。
この特徴によれば、収納筐体の底板の下面から天板の上面までの高さ寸法が、支柱に形成された係止孔間の距離の整数倍に棚板の厚み寸法を加えた寸法となっているため、ブラケットの支持片の上に支持された収納筐体の天板の上面と同じ高さに、支柱を挟んで隣り合う棚板の上面が位置するように棚板を支持させることができる。
【００１０】
前記収納筐体の前記天板と前記棚板の厚み寸法が同一となっていることを特徴としている。
この特徴によれば、ブラケットの支持片の上に支持された収納筐体の天板の下面と、支柱を挟んで隣り合う棚板の下面との高さ位置も一致させることができ、美観をより向上できることになる。
【００１１】
前記収納筐体の前記底板と前記棚板の厚み寸法が同一となっていることを特徴としている。
この特徴によれば、ブラケットの支持片の上に支持された収納筐体の底板の上面及び下面と、支柱を挟んで隣り合う棚板の上面及び下面との高さ位置を一致させることができ、美観をより向上できることになる。
【００１２】
前記収納筐体の前記底板の幅方向の端部には、該底板の上方に起立する前記側板が配置されていることを特徴としている。
この特徴によれば、ブラケットの支持片の上に支持された収納筐体の側板を、支柱を挟んで隣り合う棚板の側板としても機能させることができる。
【００１３】
前記ブラケットは、前記支持片の幅方向の端部から略垂直に起立する側片を備え、該側片が隣接する前記支柱同士の対向側面に当接して配置されていることを特徴としている。
この特徴によれば、側片により棚板及び収納筐体の左右方向への移動を規制できるとともに、棚板及び収納筐体を正面側から支柱間を通して出し入れすることができ、棚板及び収納筐体の高さ位置の変更も簡単に行うことができる。
【００１４】
前記側片の高さ寸法が前記棚板の板厚と同一であることを特徴としている。
この特徴によれば、ブラケットの支持片の上に支持された収納筐体の天板の上面と、支柱を挟んで隣り合う棚板の上面との間に側片が突出せず、天板の上面と側片の上端と棚板の上面とを面一とし連続した載置面として利用することができる。
【図面の簡単な説明】
【００１５】
【図１】本発明の実施例１における陳列棚を示す斜視図である。
【図２】支柱とブラケットの関係を示す図である。
【図３】ブラケットの支持片に棚板を支持させた状態を示す図である。
【図４】ブラケットを取付ける最初の手順を示す側面図である。
【図５】ブラケットを取付けた状態を示す側面図である。
【図６】収納筐体を示す斜視図である。
【図７】什器本体に支持された収納筐体の天板の上面と、支柱を挟んで隣り合う棚板の上面との高さ位置を比較するイメージ図である。
【図８】什器本体に支持された収納筐体の底板の上面と、支柱を挟んで隣り合う棚板の上面との高さ位置を比較するイメージ図である。
【図９】本発明の実施例２におけるブラケットと棚板及び収納筐体の天板との厚み寸法の関係を示す図である。
【図１０】従来例を示す図である。
【発明を実施するための形態】
【００１６】
本発明に係る陳列棚を実施するための形態を実施例に基づいて以下に説明する。
【実施例１】
【００１７】
実施例１に係る陳列棚につき、図１から図７を参照して説明する。以下、図１の紙面左下側を陳列棚の正面側（前方側）とし、その正面側から見た幅方向を左側及び右側として説明する。
【００１８】
図１に示されるように、陳列棚１は、什器本体２と什器本体２に支持される棚板３と収納筐体４とから主に構成されている。什器本体２は、左右方向に３本所定間隔で離間して立設された前方側の支柱５Ａ，５Ｂ，５Ｃと後方側の支柱５Ａ’，５Ｂ’，５Ｃ’を前後方向に一対有している。棚板３は、均一な板厚を有して長方体を成す板状体である。
【００１９】
支柱５Ａと支柱５Ａ’、支柱５Ｂと支柱５Ｂ’、支柱５Ｃと支柱５Ｃ’は、上下端側を縦連結杆６により前後でそれぞれ連結され、隣接する支柱５Ａと支柱５Ｂ、支柱５Ｂと支柱５Ｃ、支柱５Ａ’と支柱５Ｂ’、支柱５Ｂ’と支柱５Ｃ’は上下端側を横連結杆７によりそれぞれ連結されている。また、縦連結杆６，６と横連結杆７，７とで囲まれた空間には、ここでは詳述しない固定手段により、端部棚板１１，１１がそれぞれ固定されている。
【００２０】
本実施例における什器本体２は、左右端の支柱５Ａ，５Ａ’と支柱５Ｃ，５Ｃ’との間に位置する支柱５Ｂ，５Ｂ’により陳列領域が左右に区画されており、支柱５Ａ，５Ａ’と支柱５Ｂ、５Ｂ’との間に第１区画αが構成され、支柱５Ｂ、５Ｂ’と支柱５Ｃ，５Ｃ’との間に第２区画βが形成されている。
【００２１】
支柱５Ａ〜５Ｃ’の構造を説明する。尚、本実施例において支柱５Ａ〜５Ｃ’は、全て同一規格であるため、ここでは左右端の支柱５Ａ，５Ｃの間に位置する支柱５Ｂを例に説明し、その他の支柱の構造についての説明を省略する。
【００２２】
図２に示されるように、支柱５Ｂは、断面視略コ字状をなし、開口を有する面（前後対向面５ｆ）が後方の支柱５Ｂ’に対向するようにして配置されている。また、左右の側壁５ｄ，５ｄに上下方向に所定の等間隔で略横向きＴ字状を成すスリット状の係止孔１０，１０，…が複数形成されている。支柱５Ｂの下端には、床面に接地するアジャスター９が固定されている（図１参照）。
【００２３】
図１に示されるように、棚板３はブラケット１２により、支柱５Ａ〜５Ｃ’に支持されている。図２及び図３に示されるように、ブラケット１２は、例えば鋼板を折り曲げ加工して形成され、前後の支柱（図２では支柱５Ｂ，５Ｂ’）間に渡って延び棚板３の下面３ｂを支持する水平な支持片１３と、支持片１３の幅方向の端部から略垂直に起立し、前後の支柱５Ｂ，５Ｂ’の左右の対向側面５ｅ，５ｅに当接する側片１４とを有している。
【００２４】
また、支持片１３の前後方向の両端には、支持片１３から上向きに略直角に折り曲げられ、支持片１３上に支持された棚板３の前面と後面とが当接または近接する規制片１５，１５がそれぞれ形成されている。この規制片１５，１５により、支持片１３上に支持された棚板３の前後方向の移動が規制される。
【００２５】
また、側片１４の上端かつ前後方向の中央部には、支持片１３の反対側に向かって略直角に折り曲げられた突出片１６が形成されている。この突出片１６は、前後の支柱５Ｂ，５Ｂ’の前後対向面５ｆ，５ｆ間に嵌合される前後寸法に形成されている。また、突出片１６は、所定の幅寸法を備え、支柱５Ｂ，５Ｂ’を挟んで隣り合って配置されたブラケット１２の突出片１６とで、支柱５Ｂ，５Ｂ’の間の隙間を一部塞ぐことができる。
【００２６】
また、側片１４の上端における前後の端部には、支持片１３の反対側に向かって突出して正面視Ｌ字状に形成され、前後の支柱５Ｂ，５Ｂ’の左右の側壁５ｄ，５ｄに形成された係合孔１０，１０，…のいずれかに着脱可能に係合される一対の上部係止片１７，１７（係止片）が形成されている。
【００２７】
図２に示されるように、前後の上部係止片１７，１７と突出片１６の前後両端との間には、切欠溝１８が形成されている。切欠溝１８には、上部係止片１７を係合孔１０に嵌合させた際に、支柱５Ｂの前後対向面５ｆと係合孔１０との間の角部が入り込むようになっており、突出片１６の前後両端が、前後の支柱５Ｂ，５Ｂ’の前後対向面５ｆ，５ｆ’と近接または当接し、ブラケット１２の前後方向のがた付きを抑制することができる。
【００２８】
側片１４と支持片１３とが直交する連設部の前後の端部には、側片１４の下端部をコ字形に切欠いて、外向きに水平に折曲することにより、係止片を構成する下部係止片１９，１９が、支持片１３と面一に連続するように形成されている。下部係止片１９，１９は、上部係止片１７，１７が係止される係合孔１０の下方に隣接する係合孔１０に着脱可能に係止されるようになっている。
【００２９】
次に、図４と図５を用いて、ブラケット１２の組付け手順について説明する。まず、図４に示されるように、支柱５Ｂの対向側面５ｅに対して、ブラケット１２の側片１４をほぼ水平にし、上部係止片１７の先端部を、支柱５Ｂの側壁５ｄのいずれかの係合孔１０に差し込んだ後、矢印方向にブラケット１２全体を下向きに回動させる。
【００３０】
すると、図５に示されるように、上部係止片１７の先端部が支柱５Ｂの内側においてその裏面５ｇに当接して係合するとともに、側片１４が支柱５Ｂの対向側面５ｅに当接する。また同時に、下部係止片１９が下方に隣接する係合孔１０に嵌合される。これによりブラケット１２は、その自重により上下の係合孔１０，１０に係止された状態で支柱５Ｂの対向側面５ｅに取付けられ、支柱Ｂに固定配置される。
【００３１】
左右に隣接する支柱に、それぞれ上記の手順で取付けられたブラケット１２に棚板３を支持させる際には、規制片１５，１５を避けるようにして棚板３を支持片１３の上方に移動させた後、棚板３の下面３ｂを左右のブラケット１２，１２の支持片１３，１３に渡架させる。尚、収納筐体４を支持させる態様については、棚板３を支持させる場合と同様であるため、説明を省略した。このような支持態様であることから、規制片１５，１５により棚板３及び収納筐体４の前後方向の移動を規制するとともに、側片１４，１４により棚板３及び収納筐体４の左右方向への移動を規制することで、棚板３及び収納筐体４の落下を防止できる。さらに、棚板３及び収納筐体４を正面側から支柱間を通して出し入れすることができ、棚板３及び収納筐体４の高さ位置の変更を簡単に行うことができる。
【００３２】
図６に示されるように、収納筐体４は、棚板３と幅寸法及び奥行寸法が同寸である底板２１と、底板２１と平行に幅方向に延び、棚板３と幅寸法及び奥行寸法が同寸である天板２０と、底板２１の左右端から上方に起立する側板２２，２２と、両側板２２，２２の間に側板２２と平行に設けられた仕切板２３と、から構成されている。
【００３３】
図７及び８に示されるように、収納筐体４の底板２１の板厚Ｔ２と天板２０の板厚Ｔ１は、棚板３の板厚Ｔ３と同一に形成されている。また、収納筐体４の底板２１の下面２１ｂから天板２０の上面２０ａまでの高さ寸法Ｈが、支柱５Ａ〜５Ｃ’に形成された上下に隣接する係止孔１０，１０同士の距離Ｄの整数倍（ｎ）に、棚板の板厚Ｔ３を加えた寸法となっている（Ｈ＝Ｄ×ｎ＋Ｔ３）。係止孔１０，１０同士の距離Ｄとは、係止孔１０の同じ部分同士の距離、例えば下端と下端との距離や上端と上端との距離等を指し、本実施例では上下方向中央の芯と芯との距離（芯々距離）を例に取り説明する。更に尚、本実施例における収納筐体４の高さ寸法Ｈは、距離Ｄの７倍の値に、棚板の板厚Ｔ３を加えた寸法となっている（Ｈ＝Ｄ×７＋Ｔ３）。
【００３４】
上記構成から、例えば図７に示されるように、第１区画αにおいて支柱５Ａと支柱５Ｂとの、ある高さ位置の係止孔（ここでは１０Ｘ，１０Ｘとする）に上部係止片１７及び下部係止片１９を係止して取付けられたブラケット１２，１２の支持片１３，１３の上に支持された収納筐体４の天板２０の上面２０ａと、第２区画βにおいて支柱５Ｂと支柱５Ｃとの、前記ある高さ位置の係止孔１０Ｘ，１０Ｘからそれぞれ７個上方の係止孔（ここでは１０Ｙ，１０Ｙとする）に上部係止片１７及び下部係止片１９を係止して取付けられたブラケット１２，１２の支持片１３，１３の上に支持された棚板３の上面３ａと、が同じ高さ位置となる。
【００３５】
つまり、第２区画βにて棚板３を支持させる高さ位置を選択すれば、第１区画αにてブラケット１２の支持片１３の上に支持された収納筐体４の天板２０の上面２０ａと同じ高さに、支柱５Ｂを挟んで隣り合う第２区画βの棚板３の上面３ａが位置するように棚板３を支持させることができる。このように、収納筐体４の天板２０の上面２０ａと支柱５Ｂを挟んで隣り合う棚板３の上面３ａとを左右に面一に連続させて美観を向上できるとともに、収納筐体４の天板２０の上面２０ａを連続する載置面として利用することができ、収納筐体４の上方を有効に活用することができる。また、天板２０の上面２０ａと棚板３の上面３ａとをあたかも連続した１つの載置面として視覚させることで、天板２０の上面２０ａに載置した物品と棚板３の上面３ａに載置した物品とが独立して視覚され難く、例えばそれぞれに載置された物品の関連性による販促効果を奏することができる。
【００３６】
また、仮に収納筐体４の上方に棚板３を支持させた場合、収納筐体４の天板２０の上面２０ａと、収納筐体４の上方に支持された棚板３の下面３ｂとの距離もまた、上下に隣接する係止孔１０，１０同士の距離Ｄの整数倍の寸法となる。これによれば、什器本体２に上下に隣接して支持される棚板３と棚板３との間に効率よく陳列できる物品を、収納筐体４と棚板３との間にも同様に効率よく陳列させることができる。
【００３７】
また、収納筐体４の天板２０の板厚Ｔ１は、棚板３の板厚Ｔ３と同一に形成されているため、図７に示されるように、第１区画αにてブラケット１２の支持片１３の上に支持された収納筐体４の天板２０の下面２０ｂと、第２区画βにて支柱５Ｂを挟んで隣り合う棚板３の下面と３ｂの高さ位置を一致させることができ、美観に優れる。
【００３８】
また、収納筐体４の底板２１の板厚Ｔ２は、棚板３の板厚Ｔ３と同一に形成されているため、図８に示されるように、第１区画αにてブラケット１２の支持片１３の上に支持された収納筐体４の底板２１の上面２１ａ及び下面２１ｂと、第２区画βにて支柱５Ｂを挟んで隣り合う棚板３の上面３ａ及び下面３ｂとの高さ位置を一致させることができ、美観に優れる。
【００３９】
また、収納筐体４の底板２１の幅方向の両端に、底板２１と天板２０とを連結する側板２２，２２が形成されているため、第１区画αにてブラケット１２の支持片１３の上に支持された収納筐体４の側板２２を、第２区画βにて支柱５Ｂを挟んで隣り合う棚板３の側板としても機能させることができる。
【００４０】
また、収納筐体４の側板２２，２２の奥行寸法が、前後の支柱間の距離より大きく形成されているため、揺れ等による収納筐体４の上部における傾動を前後の支柱の対向側面により規制することができる。
【実施例２】
【００４１】
次に、実施例２に係る陳列棚につき、図９を参照して説明する。尚、前記実施例と同一構成で重複する構成の説明を省略する。
【００４２】
図９に示されるように、ブラケット１２の側片１４の高さ寸法Ｈ１と、同一となるように、収納筐体４０の天板４１の板厚Ｔ４と棚板３０の板厚Ｔ５とが形成されている。これによれば、ブラケット１２の支持片１３の上に支持された収納筐体４０の天板４１の上面４１ａと、支柱５Ｂを挟んで隣り合う棚板３０の上面３０ａとの間に側片１４が突出せず、天板４１の上面４１ａと側片１４の上端と棚板３０の上面３０ａとを面一とし連続した載置面として利用することができる。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
例えば、前記実施例では、陳列棚１を構成する什器本体２は、左右方向に３本所定間隔で離間して立設された支柱５Ａ，５Ｂ，５Ｃを前後方向に一対有しているが、この構成に限らず、左右方向には３本以上であれば何本立設されていてもよい。
【００４５】
また、前記実施例において什器本体２は、左右方向に３本所定間隔で離間して立設された支柱５Ａ，５Ｂ，５Ｃを前後方向に一対有しており、ブラケット１２は前後の支柱に亘り取付けられる構成で説明したが、この構成に限らず、例えば支柱は前後に対で立設されていなくともよく、この場合ブラケットは片持ちで取付けられる。尚、ブラケットは、前後方向に一対設けられる支柱に、それぞれ別体のブラケットを固定配置し、これら前後のブラケットに棚板３や収納筐体４を渡架させてもよい。
【００４６】
また、左右方向に３本所定間隔で離間して立設された支柱５Ａ，５Ｂ，５Ｃを前後方向に一対有する什器本体２に対して、ブラケットが左右に隣接する支柱に亘り支持される構成であってもよい。
【００４７】
また、収納筐体４の天板２０の上面２０ａと支柱５Ｂを挟んで隣り合う棚板３の上面３ａとを左右に面一に連続させる目的を達成するには、第１区画αで渡架された収納筐体４の天板２０の上面２０ａと第２区画βで渡架された棚板３の上面３ａとの高さ位置が、第１区画αと第２区画βにてそれぞれ選択した係止孔１０の組み合わせにおいて少なくとも１つの組み合わせにて高さが一致するように、収納筐体４の高さ及び係止孔１０の穿設位置が規定されていればよく、上下に隣接する係止孔１０同士が等間隔で穿設されていなくてもよい。
【００４８】
また、支柱５Ａ〜５Ｃ’に上下方向に形成される係止孔１０，１０，…は、棚板３及び収納筐体４を支持する所定の領域内にて、等間隔で形成されていれば、収納筐体４の天板２０の上面２０ａと、支柱５Ｂを挟んで隣り合う棚板３の上面３ａとの高さ位置を所定の領域内において一致させることができるため、例えば支柱５Ａ〜５Ｃ’における上下端には係止孔が形成されていなくてもよいし、支柱５Ａ〜５Ｃ’には係止孔が等間隔で形成されていない箇所を有していてもよい。
【００４９】
また、左右両端に立設される支柱には、少なくとも隣接する支柱との対向側面に係止孔が形成されていればよく、対向側面と反対側の側面の係止孔を省略してもよい。
【００５０】
また、収納筐体４は、収納筐体４の底板２１の下面２１ｂから天板２１の上面２１ａまでの高さ寸法Ｈが、支柱５Ａ〜５Ｃ’に形成された上下に隣接する係止孔１０，１０同士の距離Ｄの整数倍に、棚板の板厚Ｔ３を加えた寸法となっていれば、その高さ寸法は前記実施例の高さ寸法に限定されないことは言うまでもない。
【００５１】
また、上記した（Ｈ＝Ｄ×ｎ＋Ｔ３）の寸法関係が成立しさえすれば、ブラケット１２の支持片１３の上に支持された収納筐体４の天板２０の上面２０ａと同じ高さに、支柱５Ｂを挟んで隣り合う第２区画βの棚板３の上面３ａが位置するように棚板３を支持させることができるため、天板２０の厚み寸法及び底板２１の厚み寸法は、必ずしも棚板３の厚み寸法と同一でなくてもよい。
【００５２】
また、収納筐体４の天板２０は、棚板３の幅方向及び奥行寸法と同寸法である態様に限らない。尚、収納筐体４は、前後方向に貫通する載置領域を備える構成に限らず、後方側に背板を備えて、正面側にのみ開口する載置領域を備える形状であってもよい。
【００５３】
また、収納筐体４の底板２１と棚板３とは、均一な板厚を有して長方形を成す板状体に限らず、例えば金属板を折り曲げ加工して形成してもよく、この場合、底板におけるブラケット１２の支持片１３に支持される側端部下面から上面までの厚み寸法と、棚板におけるブラケット１２の支持片１３に支持される側端部下面から上面までの厚み寸法とが同一となるように形成することで、上記した構成と同様の効果を奏することができる。
【符号の説明】
【００５４】
１                陳列棚
２                什器本体
３                棚板
３ａ              上面
３ｂ              下面
４                収納筐体
５Ａ〜５Ｃ’      支柱
５ｄ              側壁
５ｅ              対向側面
５ｆ              前後対向面
５ｇ              裏面
１０              係合孔
１０Ｘ，１０Ｙ    係止孔
１２              ブラケット
１３              支持片
１４              側片
１５              規制片
１６              突出片
１７              上部係止片
１８              切欠溝
１９              下部係止片
２０              天板
２０ａ            上面
２０ｂ            下面
２１              底板
２１ａ            上面
２１ｂ            下面
２２              側板
２３              仕切板
Ｄ                距離
Ｈ                高さ寸法
Ｔ１              底板板厚
Ｔ２              天板板厚
Ｔ３              棚板板厚
α                第１区画
β                第２区画
【図１】
2019084006.tif 000003
【図２】
2019084006.tif 000004
【図３】
2019084006.tif 000005
【図４】
2019084006.tif 000006
【図５】
2019084006.tif 000007
【図６】
2019084006.tif 000008
【図７】
2019084006.tif 000009
【図８】
2019084006.tif 000010
【図９】
2019084006.tif 000011
【図１０】
2019084006.tif 000012